(57)【要約】【課題】  狭い部位へ挿入して使用することができる綿棒体を提供する。【解決手段】  長尺の軸部２４と、軸部２４の先端部に設けられた綿球部１２とを有している。【選択図】  図１
2018082838.tif 000002
【特許請求の範囲】
【請求項１】
長尺の軸部と、前記軸部の先端部に設けられた綿球部とを有することを特徴とする綿棒体。
【請求項２】
前記軸部は、前記綿球部が先端に設けられた軸部本体部と、前記軸部本体部に設けられた接続部に接続される長尺部とにより構成されていることを特徴とする請求項１記載の綿棒体。
【請求項３】
前記軸部の先端部は、前記軸部の一般部よりも細径に形成された可撓部を有していることを特徴とする請求項１記載の綿棒体。
【請求項４】
前記軸部の先端部には、膨出部が設けられ、前記綿球部は、前記膨出部に固定された綿球により構成されていることを特徴とする請求項１記載の綿棒体。
【請求項５】
前記長尺部は可撓性を有する管状材であって、前記接続部は、前記管状材の端部に接続固定されることを特徴とする請求項２記載の綿棒体。
【請求項６】
前記軸部には、前記接続部の後端部に開口すると共に、前記綿球部に連通する貫通孔が前記軸部の長さ方向全域に亘って内部に形成されていることを特徴とする請求項５記載の綿棒体。
【発明の詳細な説明】
【技術分野】
【０００１】
本発明は、綿棒体に関するものである。
【背景技術】
【０００２】
一般に、医療の現場や家庭において綿棒が広く使用されている。このような綿棒は、所定の長さの軸部と、前記軸部の先端に取付けられ、略球状に形成された綿球部とを有している。
【０００３】
従来より、医療現場における綿棒は、綿球部に薬液を含浸させ、患者の患部に塗布するために使用される場合と、医師が患者の患部、特に、耳、口、鼻の穴等、体表に開口した穴内に綿棒を差込み、穴の奥の患部に綿棒軸部の先端の綿球部を当接させて患部から生物学的検体を採取し、細菌検査やウイルス検査等を行うために使用される場合とがある。
【０００４】
従来の綿棒は医師が直接軸部を把持して患部に綿球部を接触させるのに十分な長さを有しているにすぎないので、患者の体腔内では使用することができなかった。
【０００５】
また、従来より、内視鏡自体の清掃にあっては、処置具を挿通するための鉗子口や、体液又は空気を吸い出すための吸引口を、例えばブラシによって清掃した場合には、ブラシから毛が抜け落ちて却って汚れの原因となったり、内視鏡内部を傷つけてしまったりするといった事態を生じていた。このような事態は、内視鏡の清掃に綿棒を用いれば解消することができるが、十分な長さを有していないため、全ての箇所を清掃することはできなかった。このため、内視鏡専用の洗浄機を用いざるを得ず、運用コスト面での問題が生じていた。
【０００６】
さらには、清掃後の内視鏡が十分清浄であるかを確認するために、清浄度検査を行う必要があるが、その際に一般的に行われている、綿棒によって生物学的検体を採取する、いわゆるふき取り検査は、前記同様綿棒が十分な長さを有していないため、全ての箇所をふき取って検査することが難しいという不具合があった。
【０００７】
また、前記した清浄度検査は、食品工場のパイプにおいても行うべきものであるが、これまでに細径のパイプ内部のふき取り検査を行うことができず、パイプ内部を通過した液体によって間接的に清浄度を検査することしかできないという不具合があった。
【０００８】
このような観点から本件特許出願人は特許文献調査を行ったが、上記のような要請に応えられる技術は発見されなかった。
【先行技術文献】
【特許文献】
【０００９】
【特許文献１】特開２００５−１３４２３号公報
【発明の概要】
【発明が解決しようとする課題】
【００１０】
本発明はこのような要請に基づくものであり、その課題は、被検者の体内へ挿入して使用することができると共に、内視鏡等の細径の空隙を有する対象物の内部に挿入して清掃や検体採取に使用することができる綿棒体を提供することにある。
【課題を解決するための手段】
【００１１】
前記課題を解決するために、請求項１に記載の発明にあっては、長尺の軸部と、前記軸部の先端部に設けられた綿球部とを有することを特徴とする。
【００１２】
従って、前記長尺の軸部を介して綿棒体を使用することができる。
【００１３】
請求項２に記載の発明にあっては、前記軸部は、前記綿球部が先端に設けられた軸部本体部と、前記軸部本体部に設けられた接続部に接続される長尺部とにより構成されていることを特徴とする。
【００１４】
従って、前記接続部に前記長尺部を接続した場合には、前記長尺部を介して綿棒体を使用することができる。
【００１５】
請求項３に記載の発明にあっては、前記軸部の先端部は、前記軸部の一般部よりも細径に形成された可撓部を有していることを特徴とする。
【００１６】
従って、前記軸部の先端部に外力が作用した場合には、前記軸部の一般部よりも細径に形成された前記可撓部が撓む。
【００１７】
請求項４に記載の発明にあっては、前記軸部の先端部には、膨出部が設けられ、前記綿球部は、前記膨出部に固定された綿球により構成されていることを特徴とする。
【００１８】
請求項５に記載の発明にあっては、前記長尺部は可撓性を有する管状材であって、前記接続部は、前記管状材の端部に接続固定されることを特徴とする。
【００１９】
前記長尺部は、例えば、カテーテルや内視鏡等が相当する。
従って、前記接続部を前記管状材の端部に接続固定した場合には、前記管状材を介して綿棒体を使用することができる。
【００２０】
請求項６に記載の発明にあっては、前記軸部には、前記軸部の後端部に開口すると共に、前記綿球部に連通する貫通孔が前記軸部の長さ方向全域に亘って内部に形成されていることを特徴とする。
【００２１】
従って、前記軸部の後端部から前記綿球部に至るまで、前記軸部の内部に前記貫通孔が形成される。
【発明の効果】
【００２２】
請求項１に記載の綿棒体にあっては、長尺の軸部と、前記軸部の先端部に設けられた綿球部とを有しているので、前記長尺の軸部を介して綿棒体を使用することができる。
その結果、被検者の体内へ挿入して使用することができると共に、内視鏡等の細径の空隙を有する対象物の内部に挿入して清掃や検体採取に使用することができる綿棒体を提供することができる。
また、内視鏡の処置具を挿通するための鉗子口や、体液又は空気を吸い出すための吸引口を清掃する際には、前記綿球部によって鉗子口や吸引口を清掃することができるので、従来のようにブラシから毛が抜け落ちて却って汚れの原因となったり、内視鏡内部を傷つけてしまったりするといった事態を確実に防止することができる。
また、請求項１に記載の綿棒体を使用して内視鏡の内部を清掃する場合には、従来のように内視鏡専用の洗浄機によって内視鏡内部を清掃する場合に比べて、運用コストを低減することができる。
【００２３】
また、清掃後の内視鏡が十分清浄であるかを確認するために、前記長尺の軸部を介して綿棒体を使用し、内視鏡の内部のふき取り検査をすることができる。
またさらに、食品工場において、前記長尺の軸部を介して綿棒体を使用し、細径のパイプの清掃や、パイプ内部の清浄度を確認するためのふき取り検査をすることができる。
その結果、狭い部位へ挿入して使用することができる綿棒体を提供することができる。
【００２４】
請求項２に記載の綿棒体にあっては、前記軸部は、前記綿球部が先端に設けられた軸部本体部と、前記軸部本体部に設けられた接続部に接続される長尺部とにより構成されているので、前記接続部に前記長尺部を接続した場合には、前記長尺部を介して綿棒体を使用することができる。
その結果、カテーテルや内視鏡の先端部に綿棒体を固定して、カテーテルや内視鏡と共に被検者の体内へ挿入して綿棒体としての使用をすることができる。
【００２５】
請求項３に記載の綿棒体にあっては、前記軸部の先端部に外力がかかった場合には、前記軸部の一般部よりも細径に形成された前記可撓部が撓むので、前記綿棒体を人体内部の狭い箇所に通過させる際には、前記軸部の先端部を撓ませながら通過させることができる。
【００２６】
その結果、内視鏡手術のように、被検者の体腔内において、臓器や血管の入り組んだ特に狭い箇所においても前記綿棒体を使用することができる。
【００２７】
請求項４に記載の綿棒体にあっては、前記軸部の先端部には、膨出部が設けられ、前記綿球部は、前記膨出部に固定された綿球により構成されているので、前記綿球が前記軸部から抜けて脱落するといった事態を防止することができる。
【００２８】
請求項５に記載の綿棒体にあっては、前記接続部を前記管状材の端部に挿入して固定した場合には、例えば、カテーテルや内視鏡のような医療用の可撓性を有する管状材の端部に前記綿棒体を接続して、被検者の体内において使用することができる。
【００２９】
請求項６に記載の綿棒体にあっては、前記軸部の後端部から前記綿球部に至るまで、前記軸部の内部に前記貫通孔が形成されるので、例えば、前記綿棒体をカテーテルや内視鏡のような管状材と接続し、前記管状材から薬液を注入した場合には、前記貫通孔を介して前記綿球部に前記薬液を含侵させることができる。
【００３０】
その結果、前記薬液が含侵した前記綿球部を患部に接触させることにより、前記患部に前記薬液を塗布することができる。
【００３１】
従来の内視鏡手術にあっては、患部に薬液を噴霧することしかできなかったため、患部以外の場所にも薬液が付着してしまうといった事態が生じていたのに対して、請求項６に記載の綿棒体にあっては、患部に薬液をピンポイントに塗布することができる。
【００３２】
また、請求項６に記載の綿棒体にあっては、前記軸部の後端部から前記綿球部に至るまで、前記軸部の内部に前記貫通孔が形成されるので、例えば、前記綿棒体をカテーテルや内視鏡のような管状材を介して吸引ポンプと接続することもできる。この場合には、血液等の液体を前記綿球部から前記貫通孔を介して吸引することができる。
【図面の簡単な説明】
【００３３】
【図１】図１は、本発明に係る綿棒体の一実施形態において、長尺部を接続部に接続した状態を示す側面図である。
【図２】図２（ａ）は、本発明に係る綿棒体の一実施形態を示す側面図、（ｂ）は本発明に係る綿棒体の他の実施形態を示す側面図である。
【図３】図３（ａ）は、本発明に係る綿棒体の一実施形態を示す側面図、（ｂ）は本発明に係る綿棒体の他の実施形態を示す側面図である。
【図４】図４（ａ）、（ｂ）、（ｃ）、（ｄ）は、夫々、本発明に係る綿棒体において、接続部の複数の実施形態を示す側面図である。
【図５】図５（ａ）は、本発明に係る綿棒体の一実施形態を示す斜視図、（ｂ）は本発明に係る綿棒体の他の実施形態を示す側面図である。
【発明を実施するための形態】
【００３４】
以下、本発明の一実施の形態に係る綿棒体を、カテーテルに接続して人体内で使用する場合を例に、図面を参照して詳細に説明する。
【００３５】
図１、図２及び図５に示すように、本実施の形態に係る綿棒体１０にあっては、長尺の軸部２４と、軸部２４の先端部に設けられた綿球部１２とを有している。
【００３６】
図１、図２及び図５に示すように、本実施の形態に係る軸部２４は、合成樹脂製の円柱状に形成され、綿球部１２が先端に設けられた軸部本体部１１と、軸部本体部１１の後端部に設けられた接続部１４に接続される長尺部１３とにより構成されている。
図１、図２及び図５に示すように、本実施の形態に係る長尺部１３は、人体内部へ挿入するカテーテルにより構成されている。
【００３７】
図２及び図３に示すように、本実施の形態に係る接続部１４は、軸部本体部１１の一般部よりも細径の円柱状に形成されている。具体的には、軸部本体部１１の一般部の径寸法は１．５ｍｍ、接続部１４の径寸法は１ｍｍである。
【００３８】
図１〜図３及び図５に示すように、本実施の形態に係る軸部本体部１１の先端部は、軸部本体部１１の一般部よりも細径に形成された可撓部１５を有している。可撓部１５の径寸法は１ｍｍである。
【００３９】
図３に示すように、本実施の形態に係る軸部本体部１１の先端部には、膨出部１６が設けられ、綿球部１２は、膨出部１６に固定された綿球により構成されている。膨出部１６の径寸法は１．２ｍｍである。
本実施の形態に係る軸部本体部１１を、例えば押出成形等により作製する場合には、切断・切削の際に「バリ」や「カエリ」と呼ばれる不要な突起が加工面に発生するが、このような「バリ」や「カエリ」を膨出部１６として使用することもできる。
【００４０】
図２に示すように、本実施の形態に係る軸部本体部１１、接続部１４、可撓部１５、膨出部１６は、合成樹脂により一体に形成されている。図３に示すように、本実施の形態に係る膨出部１６から接続部１４に至るまでの長さ寸法Ｌ１は、８０ｍｍである。また、図２に示すように、膨出部１６に綿球を付加固定し綿球部１２を形成した場合には、綿球部１２から接続部１４に至るまでの長さ寸法Ｌ２は、８２ｍｍである。
【００４１】
図１、図４（ａ）及び図５に示すように、本実施の形態に係る長尺部１３は可撓性を有する合成樹脂製のカテーテル（管状材）であって、図４（ａ）に示すように、接続部１４は、カテーテル１３の先端部２０に接続固定されている。
【００４２】
図５に示すように、本実施の形態に係る軸部本体部１１には、接続部１４の後端部１７に開口すると共に、膨出部１６の先端部１８に開口して綿球部１２に連通する貫通孔１９が軸部本体部１１の長さ方向全域に亘って内部に形成されている。
【００４３】
本実施の形態に係る綿球部１２は、コットン、ビニロン又はレーヨン製の脱脂綿、若しくは、ポリエステル、ナイロン等の化成品の繊維、又は、ポリエステル及びナイロン等を素材とする複合繊維により形成されている。本実施の形態に係る綿球部１２は、綿状に形成されているが、布状であってもよい。
【００４４】
また、以上のような綿棒体１０に対して、図２及び図３に示すように、本発明における他の実施の形態に係る綿棒３０は、膨出部１６から接続部１４に至るまでの長さ寸法Ｌ１、綿球部１２から接続部１４に至るまでの長さ寸法Ｌ２の代わりに、夫々、長さ寸法Ｌ３、Ｌ４を有している。
【００４５】
長さ寸法Ｌ４は、清浄度検査として用いられるＡＴＰ（汚染物質）ふき取り検査の検査機に挿入して使用する場合に適した長さ寸法である。
【００４６】
ここで、清浄度検査とは、手指や食品加工設備機器、医療器具等が十分に清浄に維持されているかどうかを調べる検査である。ＡＴＰふき取り検査とは、検査箇所を綿棒等でふき取り、綿棒等で採取したＡＴＰ（汚染物質）を試薬と反応させ、反応による発光量を測定する検査法である。
【００４７】
具体的には、図３に示すように、本実施の形態に係る膨出部１６から接続部１４に至るまでの長さ寸法Ｌ３は、１４７ｍｍである。また、図２に示すように、膨出部１６に綿球を付加固定し綿球部１２を形成した場合には、綿球部１２から接続部１４に至るまでの長さ寸法Ｌ４は、１４９ｍｍである。
【００４８】
それ以外の構成については、綿棒体１０の構成と同一であり、同一符号で表すことにより説明を省略する。
【００４９】
また、図４（ａ）に示すように、本実施の形態に係る接続部１４は、軸部本体部１１の一般部よりも細径の円柱状に形成され、接続部１４は、カテーテル１３の先端部２０に接続固定されている場合を例に説明したが、図４（ｂ）、（ｃ）及び（ｄ）に示すように、接続部１４には種々の形態を採用することができる。
【００５０】
図４（ｂ）に示すように、第二の実施の形態に係る接続部１４ａは、軸部本体部１１の内方に円柱状に凹設され、カテーテル１３の先端部２０に挿入されたワイヤー２１に接続固定されるように構成されている。
【００５１】
図４（ｃ）に示すように、第三の実施の形態に係る接続部１４ｂは、軸部本体部１１の一般部と同一の径寸法の円柱状に形成され、接続部１４ｂよりも内径が太径のカテーテル１３ｂの先端部２０に接続固定されるように構成されている。
【００５２】
図４（ｄ）に示すように、第四の実施の形態に係る接続部１４ｃは、軸部本体部１１の一般部よりも細径の円柱状に形成され、カテーテル１３ｃの先端部２０には凹部２２が形成され、接続部１４ｃは、カテーテル１３ｃの凹部２２に挿入され、熱収縮チューブ２３により接続部１４ｃとカテーテル１３との接続部位が外方から被覆され固定されるように構成されている。
【００５３】
以下、本実施の形態に係る綿棒体１０及び３０の作用について、図を参照しながら詳細に説明する。
【００５４】
図１及び図４（ａ）に示すように、本実施の形態に係る綿棒体１０及び３０を使用する場合には、接続部１４をカテーテル１３の先端部２０に挿入して固定する。
【００５５】
この際、本実施の形態に係る綿棒体１０及び３０にあっては、接続部１４に長尺部であるカテーテル１３を接続した場合には、カテーテル１３を介して綿棒体１０及び３０を使用することができる。
【００５６】
その結果、カテーテルの先端部に綿棒体を固定して、カテーテルと共に被検者の体内へ挿入して綿棒体としての使用をすることができる。
【００５７】
また、図１〜図３及び図５に示すように、本実施の形態に係る綿棒体１０及び３０にあっては、軸部本体部１１の先端部に外力が作用した場合には、軸部本体部１１の一般部よりも細径に形成された可撓部１５が撓むので、綿棒体１０及び３０を人体内部の狭い箇所に通過させる際には、軸部本体部１１の先端部を撓ませながら通過させることができる。
【００５８】
その結果、内視鏡手術のように、被検者の体腔内において、臓器や血管の入り組んだ特に狭い箇所においても本実施の形態に係る綿棒体１０及び３０を使用することができる。
【００５９】
図２に示すように、本実施の形態に係る綿棒体１０及び３０にあっては、軸部本体部１１の先端部には膨出部１６が設けられ、綿球部１２は膨出部１６に固定された綿球により構成されているので、前記綿球が軸部本体部１１から抜けて脱落するといった事態を防止することができる。
【００６０】
また、図５に示すように、本実施の形態に係る綿棒体１０及び３０にあっては、軸部本体部１１の後端部から綿球部１２に至るまで、軸部本体部１１の内部に貫通孔１９が形成されるので、例えば、綿棒体１０及び３０をカテーテル１３と接続し、カテーテル１３から薬液を注入した場合には、貫通孔１９を介して綿球部１２に前記薬液を含侵させることができる。
【００６１】
その結果、前記薬液が含侵した綿球部１２を患部に接触させることにより、前記患部に前記薬液を塗布することができる。
【００６２】
従来の内視鏡手術にあっては、患部に薬液を噴霧することしかできなかったため、患部以外の場所にも薬液が付着してしまうといった事態が生じていたのに対して、本実施の形態に係る綿棒体１０及び３０にあっては、患部に薬液をピンポイントに塗布することができる。
【００６３】
また、図５に示すように、本実施の形態に係る綿棒体１０及び３０にあっては、軸部本体部１１の後端部から綿球部１２に至るまで、軸部本体部１１の内部に貫通孔１９が形成されるので、例えば、綿棒体１０及び３０を、カテーテル１３を介して吸引ポンプと接続することもできる。この場合には、血液等の液体を綿球部１２から貫通孔１９を介して吸引することができる。
【００６４】
図１に示すように、本実施の形態に係る長尺部１３は、カテーテルである場合を例に説明したが、前記構成に限定されず、内視鏡のほか、一般的な長尺部により構成し、長尺部に接続した綿棒体を内視鏡や食品工場のパイプの清掃及び生物学的検体の採取による清浄度検査に使用することができる。
【００６５】
図１〜図５に示すように、本実施の形態に係る軸部２４は、軸部本体部１１と長尺部１３とに分割されている場合を例に説明したが、前記構成に限定されず、軸部本体部と長尺部とが分割されておらず、一体に形成されていてもよい。
【００６６】
図１〜図３及び図５に示すように、本実施の形態に係る軸部本体部１１は、先端部に軸部本体部１１の一般部よりも細径に形成された可撓部１５を、後端部に軸部本体部１１の一般部よりも細径の円柱状に形成された接続部１４を、夫々、有している場合を例に説明したが、前記構成に限定されず、軸部本体部の先端部及び後端部が軸部本体部の一般部と同一の径寸法に形成されていてもよい。
この場合には、図４（ｃ）に示すように、接続部よりも内径が太径のカテーテル等の長尺部材に接続固定されるように構成することができる。
【産業上の利用可能性】
【００６７】
本発明は、綿棒体であり、産業上利用可能性を有している。
【符号の説明】
【００６８】
１０、３０：綿棒体
１１：軸部本体部
１２：綿球部
１３、１３ｂ、１３ｃ：カテーテル（長尺部）
１４、１４ａ、１４ｂ、１４ｃ：接続部
１５：可撓部
１６：膨出部
１７：接続部の後端部
１８：膨出部の先端部
１９：貫通孔
２０：カテーテル（長尺部）の先端部
２１：ワイヤー
２２：凹部
２３：熱収縮チューブ
２４：軸部
２５：貫通孔
２６：容器
【図１】
2018082838.tif 000003
【図２】
2018082838.tif 000004
【図３】
2018082838.tif 000005
【図４】
2018082838.tif 000006
【図５】
2018082838.tif 000007
【手続補正書】
【提出日】平成29年12月1日(2017.12.1)
【手続補正１】
【補正対象書類名】明細書
【補正対象項目名】全文
【補正方法】変更
【補正の内容】
【発明の詳細な説明】
【技術分野】
【０００１】
本発明は、綿棒体に関するものである。
【背景技術】
【０００２】
一般に、医療の現場や家庭において綿棒が広く使用されている。このような綿棒は、所定の長さの軸部と、前記軸部の先端に取付けられ、略球状に形成された綿球部とを有している。
【０００３】
従来より、医療現場における綿棒は、綿球部に薬液を含浸させ、患者の患部に塗布するために使用される場合と、医師が患者の患部、特に、耳、口、鼻の穴等、体表に開口した穴内に綿棒を差込み、穴の奥の患部に綿棒軸部の先端の綿球部を当接させて患部から生物学的検体を採取し、細菌検査やウイルス検査等を行うために使用される場合とがある。
【０００４】
従来の綿棒は医師が直接軸部を把持して患部に綿球部を接触させるのに十分な長さを有しているにすぎないので、患者の体腔内では使用することができなかった。
【０００５】
また、従来より、内視鏡自体の清掃にあっては、処置具を挿通するための鉗子口や、体液又は空気を吸い出すための吸引口を、例えばブラシによって清掃した場合には、ブラシから毛が抜け落ちて却って汚れの原因となったり、内視鏡内部を傷つけてしまったりするといった事態を生じていた。このような事態は、内視鏡の清掃に綿棒を用いれば解消することができるが、十分な長さを有していないため、全ての箇所を清掃することはできなかった。このため、内視鏡専用の洗浄機を用いざるを得ず、運用コスト面での問題が生じていた。
【０００６】
さらには、清掃後の内視鏡が十分清浄であるかを確認するために、清浄度検査を行う必要があるが、その際に一般的に行われている、綿棒によって生物学的検体を採取する、いわゆるふき取り検査は、前記同様綿棒が十分な長さを有していないため、全ての箇所をふき取って検査することが難しいという不具合があった。
【０００７】
また、前記した清浄度検査は、食品工場のパイプにおいても行うべきものであるが、これまでに細径のパイプ内部のふき取り検査を行うことができず、パイプ内部を通過した液体によって間接的に清浄度を検査することしかできないという不具合があった。
【０００８】
このような観点から本件特許出願人は特許文献調査を行ったが、上記のような要請に応えられる技術は発見されなかった。
【先行技術文献】
【特許文献】
【０００９】
【特許文献１】特開２００５−１３４２３号公報
【発明の概要】
【発明が解決しようとする課題】
【００１０】
本発明はこのような要請に基づくものであり、その課題は、被検者の体内へ挿入して使用することができると共に、内視鏡等の細径の空隙を有する対象物の内部に挿入して清掃や検体採取に使用することができる綿棒体を提供することにある。
【課題を解決するための手段】
【００１１】
前記課題を解決するために、請求項１に記載の発明にあっては、内視鏡及び細径のパイプに挿入して使用しうるように形成された長尺の軸部と、前記軸部の先端部に設けられた綿球部とを有し、前記軸部の先端部は、前記軸部の一般部よりも細径に形成された可撓部を有し、前記軸部の先端部には、膨出部が設けられ、前記綿球部は、前記膨出部に固定された綿球により構成されていることを特徴とする。
【００１２】
従って、前記長尺の軸部を介して綿棒体を使用することができると共に、前記軸部の先端部に外力が作用した場合には、前記軸部の一般部よりも細径に形成された前記可撓部が撓む。
【００１３】
請求項２に記載の発明にあっては、前記軸部は、前記綿球部が先端に設けられた軸部本体部と、前記軸部本体部に設けられた接続部に接続される長尺部とにより構成されていることを特徴とする。
【００１４】
従って、前記接続部に前記長尺部を接続した場合には、前記長尺部を介して綿棒体を使用することができる。
【００１５】
請求項３に記載の発明にあっては、前記長尺部は可撓性を有する管状材であって、前記接続部は、前記管状材の端部に接続固定されることを特徴とする。
【００１６】
前記長尺部は、例えば、カテーテルや内視鏡等が相当する。従って、前記接続部を前記管状材の端部に接続固定した場合には、前記管状材を介して綿棒体を使用することができる。
【００１７】
請求項４に記載の発明にあっては、前記軸部には、前記軸部の後端部に開口すると共に、前記綿球部に連通する貫通孔が前記軸部の長さ方向全域に亘って内部に形成されていることを特徴とする。
【００１８】
従って、前記軸部の後端部から前記綿球部に至るまで、前記軸部の内部に前記貫通孔が形成される。
【発明の効果】
【００１９】
請求項１に記載の綿棒体にあっては、内視鏡及び細径のパイプに挿入して使用しうるように形成された長尺の軸部と、前記軸部の先端部に設けられた綿球部とを有しているので、前記長尺の軸部を介して綿棒体を使用することができる。
その結果、被検者の体内へ挿入して使用することができると共に、内視鏡等の細径の空隙を有する対象物の内部に挿入して清掃や検体採取に使用することができる綿棒体を提供することができる。
【００２０】
また、内視鏡の処置具を挿通するための鉗子口や、体液又は空気を吸い出すための吸引口を清掃する際には、前記綿球部によって鉗子口や吸引口を清掃することができるので、従来のようにブラシから毛が抜け落ちて却って汚れの原因となったり、内視鏡内部を傷つけてしまったりするといった事態を確実に防止することができる。
【００２１】
また、請求項１に記載の綿棒体を使用して内視鏡の内部を清掃する場合には、従来のように内視鏡専用の洗浄機によって内視鏡内部を清掃する場合に比べて、運用コストを低減することができる。
【００２２】
また、清掃後の内視鏡が十分清浄であるかを確認するために、前記長尺の軸部を介して綿棒体を使用し、内視鏡の内部のふき取り検査をすることができる。
【００２３】
またさらに、食品工場において、前記長尺の軸部を介して綿棒体を使用し、細径のパイプの清掃や、パイプ内部の清浄度を確認するためのふき取り検査をすることができる。その結果、狭い部位へ挿入して使用することができる綿棒体を提供することができる。
【００２４】
また、請求項１に記載の綿棒体にあっては、前記軸部の先端部に外力がかかった場合には、前記軸部の一般部よりも細径に形成された前記可撓部が撓むので、前記綿棒体を人体内部の狭い箇所に通過させる際には、前記軸部の先端部を撓ませながら通過させることができる。
【００２５】
その結果、内視鏡手術のように、被検者の体腔内において、臓器や血管の入り組んだ特に狭い箇所においても前記綿棒体を使用することができる。
【００２６】
また、請求項１に記載の綿棒体にあっては、前記軸部の先端部には、膨出部が設けられ、前記綿球部は、前記膨出部に固定された綿球により構成されているので、前記綿球が前記軸部から抜けて脱落するといった事態を防止することができる。
【００２７】
請求項２に記載の綿棒体にあっては、前記軸部は、前記綿球部が先端に設けられた軸部本体部と、前記軸部本体部に設けられた接続部に接続される長尺部とにより構成されているので、前記接続部に前記長尺部を接続した場合には、前記長尺部を介して綿棒体を使用することができる。
その結果、カテーテルや内視鏡の先端部に綿棒体を固定して、カテーテルや内視鏡と共に被検者の体内へ挿入して綿棒体としての使用をすることができる。
【００２８】
請求項３に記載の綿棒体にあっては、前記接続部を前記管状材の端部に挿入して固定した場合には、例えば、カテーテルや内視鏡のような医療用の可撓性を有する管状材の端部に前記綿棒体を接続して、被検者の体内において使用することができる。
【００２９】
請求項４に記載の綿棒体にあっては、前記軸部の後端部から前記綿球部に至るまで、前記軸部の内部に前記貫通孔が形成されるので、例えば、前記綿棒体をカテーテルや内視鏡のような管状材と接続し、前記管状材から薬液を注入した場合には、前記貫通孔を介して前記綿球部に前記薬液を含侵させることができる。
【００３０】
その結果、前記薬液が含侵した前記綿球部を患部に接触させることにより、前記患部に前記薬液を塗布することができる。
【００３１】
従来の内視鏡手術にあっては、患部に薬液を噴霧することしかできなかったため、患部以外の場所にも薬液が付着してしまうといった事態が生じていたのに対して、請求項４に記載の綿棒体にあっては、患部に薬液をピンポイントに塗布することができる。
【００３２】
また、請求項４に記載の綿棒体にあっては、前記軸部の後端部から前記綿球部に至るまで、前記軸部の内部に前記貫通孔が形成されるので、例えば、前記綿棒体をカテーテルや内視鏡のような管状材を介して吸引ポンプと接続することもできる。この場合には、血液等の液体を前記綿球部から前記貫通孔を介して吸引することができる。
【図面の簡単な説明】
【００３３】
【図１】図１は、本発明に係る綿棒体の一実施形態において、長尺部を接続部に接続した状態を示す側面図である。
【図２】図２（ａ）は、本発明に係る綿棒体の一実施形態を示す側面図、（ｂ）は本発明に係る綿棒体の他の実施形態を示す側面図である。
【図３】図３（ａ）は、本発明に係る綿棒体の一実施形態を示す側面図、（ｂ）は本発明に係る綿棒体の他の実施形態を示す側面図である。
【図４】図４（ａ）、（ｂ）、（ｃ）、（ｄ）は、夫々、本発明に係る綿棒体において、接続部の複数の実施形態を示す側面図である。
【図５】図５（ａ）は、本発明に係る綿棒体の一実施形態を示す斜視図、（ｂ）は本発明に係る綿棒体の他の実施形態を示す側面図である。
【発明を実施するための形態】
【００３４】
以下、本発明の一実施の形態に係る綿棒体を、カテーテルに接続して人体内で使用する場合を例に、図面を参照して詳細に説明する。
【００３５】
図１、図２及び図５に示すように、本実施の形態に係る綿棒体１０にあっては、長尺の軸部２４と、軸部２４の先端部に設けられた綿球部１２とを有している。
【００３６】
図１、図２及び図５に示すように、本実施の形態に係る軸部２４は、合成樹脂製の円柱状に形成され、綿球部１２が先端に設けられた軸部本体部１１と、軸部本体部１１の後端部に設けられた接続部１４に接続される長尺部１３とにより構成されている。
図１、図２及び図５に示すように、本実施の形態に係る長尺部１３は、人体内部へ挿入するカテーテルにより構成されている。
【００３７】
図２及び図３に示すように、本実施の形態に係る接続部１４は、軸部本体部１１の一般部よりも細径の円柱状に形成されている。具体的には、軸部本体部１１の一般部の径寸法は１．５ｍｍ、接続部１４の径寸法は１ｍｍである。
【００３８】
図１〜図３及び図５に示すように、本実施の形態に係る軸部本体部１１の先端部は、軸部本体部１１の一般部よりも細径に形成された可撓部１５を有している。可撓部１５の径寸法は１ｍｍである。
【００３９】
図３に示すように、本実施の形態に係る軸部本体部１１の先端部には、膨出部１６が設けられ、綿球部１２は、膨出部１６に固定された綿球により構成されている。膨出部１６の径寸法は１．２ｍｍである。
本実施の形態に係る軸部本体部１１を、例えば押出成形等により作製する場合には、切断・切削の際に「バリ」や「カエリ」と呼ばれる不要な突起が加工面に発生するが、このような「バリ」や「カエリ」を膨出部１６として使用することもできる。
【００４０】
図２に示すように、本実施の形態に係る軸部本体部１１、接続部１４、可撓部１５、膨出部１６は、合成樹脂により一体に形成されている。図３に示すように、本実施の形態に係る膨出部１６から接続部１４に至るまでの長さ寸法Ｌ１は、８０ｍｍである。また、図２に示すように、膨出部１６に綿球を付加固定し綿球部１２を形成した場合には、綿球部１２から接続部１４に至るまでの長さ寸法Ｌ２は、８２ｍｍである。
【００４１】
図１、図４（ａ）及び図５に示すように、本実施の形態に係る長尺部１３は可撓性を有する合成樹脂製のカテーテル（管状材）であって、図４（ａ）に示すように、接続部１４は、カテーテル１３の先端部２０に接続固定されている。
【００４２】
図５に示すように、本実施の形態に係る軸部本体部１１には、接続部１４の後端部１７に開口すると共に、膨出部１６の先端部１８に開口して綿球部１２に連通する貫通孔１９が軸部本体部１１の長さ方向全域に亘って内部に形成されている。
【００４３】
本実施の形態に係る綿球部１２は、コットン、ビニロン又はレーヨン製の脱脂綿、若しくは、ポリエステル、ナイロン等の化成品の繊維、又は、ポリエステル及びナイロン等を素材とする複合繊維により形成されている。本実施の形態に係る綿球部１２は、綿状に形成されているが、布状であってもよい。
【００４４】
また、以上のような綿棒体１０に対して、図２及び図３に示すように、本発明における他の実施の形態に係る綿棒３０は、膨出部１６から接続部１４に至るまでの長さ寸法Ｌ１、綿球部１２から接続部１４に至るまでの長さ寸法Ｌ２の代わりに、夫々、長さ寸法Ｌ３、Ｌ４を有している。
【００４５】
長さ寸法Ｌ４は、清浄度検査として用いられるＡＴＰ（汚染物質）ふき取り検査の検査機に挿入して使用する場合に適した長さ寸法である。
【００４６】
ここで、清浄度検査とは、手指や食品加工設備機器、医療器具等が十分に清浄に維持されているかどうかを調べる検査である。ＡＴＰふき取り検査とは、検査箇所を綿棒等でふき取り、綿棒等で採取したＡＴＰ（汚染物質）を試薬と反応させ、反応による発光量を測定する検査法である。
【００４７】
具体的には、図３に示すように、本実施の形態に係る膨出部１６から接続部１４に至るまでの長さ寸法Ｌ３は、１４７ｍｍである。また、図２に示すように、膨出部１６に綿球を付加固定し綿球部１２を形成した場合には、綿球部１２から接続部１４に至るまでの長さ寸法Ｌ４は、１４９ｍｍである。
【００４８】
それ以外の構成については、綿棒体１０の構成と同一であり、同一符号で表すことにより説明を省略する。
【００４９】
また、図４（ａ）に示すように、本実施の形態に係る接続部１４は、軸部本体部１１の一般部よりも細径の円柱状に形成され、接続部１４は、カテーテル１３の先端部２０に接続固定されている場合を例に説明したが、図４（ｂ）、（ｃ）及び（ｄ）に示すように、接続部１４には種々の形態を採用することができる。
【００５０】
図４（ｂ）に示すように、第二の実施の形態に係る接続部１４ａは、軸部本体部１１の内方に円柱状に凹設され、カテーテル１３の先端部２０に挿入されたワイヤー２１に接続固定されるように構成されている。
【００５１】
図４（ｃ）に示すように、第三の実施の形態に係る接続部１４ｂは、軸部本体部１１の一般部と同一の径寸法の円柱状に形成され、接続部１４ｂよりも内径が太径のカテーテル１３ｂの先端部２０に接続固定されるように構成されている。
【００５２】
図４（ｄ）に示すように、第四の実施の形態に係る接続部１４ｃは、軸部本体部１１の一般部よりも細径の円柱状に形成され、カテーテル１３ｃの先端部２０には凹部２２が形成され、接続部１４ｃは、カテーテル１３ｃの凹部２２に挿入され、熱収縮チューブ２３により接続部１４ｃとカテーテル１３との接続部位が外方から被覆され固定されるように構成されている。
【００５３】
以下、本実施の形態に係る綿棒体１０及び３０の作用について、図を参照しながら詳細に説明する。
【００５４】
図１及び図４（ａ）に示すように、本実施の形態に係る綿棒体１０及び３０を使用する場合には、接続部１４をカテーテル１３の先端部２０に挿入して固定する。
【００５５】
この際、本実施の形態に係る綿棒体１０及び３０にあっては、接続部１４に長尺部であるカテーテル１３を接続した場合には、カテーテル１３を介して綿棒体１０及び３０を使用することができる。
【００５６】
その結果、カテーテルの先端部に綿棒体を固定して、カテーテルと共に被検者の体内へ挿入して綿棒体としての使用をすることができる。
【００５７】
また、図１〜図３及び図５に示すように、本実施の形態に係る綿棒体１０及び３０にあっては、軸部本体部１１の先端部に外力が作用した場合には、軸部本体部１１の一般部よりも細径に形成された可撓部１５が撓むので、綿棒体１０及び３０を人体内部の狭い箇所に通過させる際には、軸部本体部１１の先端部を撓ませながら通過させることができる。
【００５８】
その結果、内視鏡手術のように、被検者の体腔内において、臓器や血管の入り組んだ特に狭い箇所においても本実施の形態に係る綿棒体１０及び３０を使用することができる。
【００５９】
図２に示すように、本実施の形態に係る綿棒体１０及び３０にあっては、軸部本体部１１の先端部には膨出部１６が設けられ、綿球部１２は膨出部１６に固定された綿球により構成されているので、前記綿球が軸部本体部１１から抜けて脱落するといった事態を防止することができる。
【００６０】
また、図５に示すように、本実施の形態に係る綿棒体１０及び３０にあっては、軸部本体部１１の後端部から綿球部１２に至るまで、軸部本体部１１の内部に貫通孔１９が形成されるので、例えば、綿棒体１０及び３０をカテーテル１３と接続し、カテーテル１３から薬液を注入した場合には、貫通孔１９を介して綿球部１２に前記薬液を含侵させることができる。
【００６１】
その結果、前記薬液が含侵した綿球部１２を患部に接触させることにより、前記患部に前記薬液を塗布することができる。
【００６２】
従来の内視鏡手術にあっては、患部に薬液を噴霧することしかできなかったため、患部以外の場所にも薬液が付着してしまうといった事態が生じていたのに対して、本実施の形態に係る綿棒体１０及び３０にあっては、患部に薬液をピンポイントに塗布することができる。
【００６３】
また、図５に示すように、本実施の形態に係る綿棒体１０及び３０にあっては、軸部本体部１１の後端部から綿球部１２に至るまで、軸部本体部１１の内部に貫通孔１９が形成されるので、例えば、綿棒体１０及び３０を、カテーテル１３を介して吸引ポンプと接続することもできる。この場合には、血液等の液体を綿球部１２から貫通孔１９を介して吸引することができる。
【００６４】
図１に示すように、本実施の形態に係る長尺部１３は、カテーテルである場合を例に説明したが、前記構成に限定されず、内視鏡のほか、一般的な長尺部により構成し、長尺部に接続した綿棒体を内視鏡や食品工場のパイプの清掃及び生物学的検体の採取による清浄度検査に使用することができる。
【００６５】
図１〜図５に示すように、本実施の形態に係る軸部２４は、軸部本体部１１と長尺部１３とに分割されている場合を例に説明したが、前記構成に限定されず、軸部本体部と長尺部とが分割されておらず、一体に形成されていてもよい。
【００６６】
図１〜図３及び図５に示すように、本実施の形態に係る軸部本体部１１は、先端部に軸部本体部１１の一般部よりも細径に形成された可撓部１５を、後端部に軸部本体部１１の一般部よりも細径の円柱状に形成された接続部１４を、夫々、有している場合を例に説明したが、前記構成に限定されず、軸部本体部の先端部及び後端部が軸部本体部の一般部と同一の径寸法に形成されていてもよい。
この場合には、図４（ｃ）に示すように、接続部よりも内径が太径のカテーテル等の長尺部材に接続固定されるように構成することができる。
【産業上の利用可能性】
【００６７】
本発明は、綿棒体であり、産業上利用可能性を有している。
【符号の説明】
【００６８】
１０、３０：綿棒体
１１：軸部本体部
１２：綿球部
１３、１３ｂ、１３ｃ：カテーテル（長尺部）
１４、１４ａ、１４ｂ、１４ｃ：接続部
１５：可撓部
１６：膨出部
１７：接続部の後端部
１８：膨出部の先端部
１９：貫通孔
２０：カテーテル（長尺部）の先端部
２１：ワイヤー
２２：凹部
２３：熱収縮チューブ
２４：軸部
２５：貫通孔
２６：容器
【手続補正２】
【補正対象書類名】特許請求の範囲
【補正対象項目名】全文
【補正方法】変更
【補正の内容】
【特許請求の範囲】
【請求項１】
内視鏡及び細径のパイプに挿入して使用しうるように形成された長尺の軸部と、前記軸部の先端部に設けられた綿球部とを有し、前記軸部の先端部は、前記軸部の一般部よりも細径に形成された可撓部を有し、前記軸部の先端部には、膨出部が設けられ、前記綿球部は、前記膨出部に固定された綿球により構成されていることを特徴とする綿棒体。
【請求項２】
前記軸部は、前記綿球部が先端に設けられた軸部本体部と、前記軸部本体部に設けられた接続部に接続される長尺部とにより構成されていることを特徴とする請求項１記載の綿棒体。
【請求項３】
前記長尺部は可撓性を有する管状材であって、前記接続部は、前記管状材の端部に接続固定されることを特徴とする請求項２記載の綿棒体。
【請求項４】
前記軸部には、前記接続部の後端部に開口すると共に、前記綿球部に連通する貫通孔が前記軸部の長さ方向全域に亘って内部に形成されていることを特徴とする請求項２記載の綿棒体。